(57)【要約】      （修正有）【課題】ハウジングの形状が互いに異なる光コネクタレセプタクル内のフェルール端面を容易に清掃することができる。【解決手段】工具本体１１と、押圧面において清掃体１を清掃対象に押し当てるヘッド２２を備え、前記工具本体から延び出た延出部２０とを有する清掃工具１０であって、前記延出部は、前記ヘッドが挿通する内側ガイド部５０と、前記内側ガイド部が挿通する外側ガイド部６０とを備え、第１光コネクタの清掃時に、前記外側ガイド部の外周部が前記第１光コネクタのフェルール端面に対して前記ヘッドをガイドし、前記第１光コネクタとはハウジングの形状が互いに異なる第２光コネクタの清掃時に、前記外側ガイド部が後退して、前記内側ガイド部が前記第２光コネクタ側に露出することで、前記内側ガイド部の外周部が前記第２光コネクタのフェルール端面に対して前記ヘッドをガイドすることを特徴とする清掃工具である。【選択図】図３
2019045826.tif 000002
【特許請求の範囲】
【請求項１】
工具本体と、
押圧面において清掃体を清掃対象に押し当てるヘッドを備え、前記工具本体から延び出た延出部と
を有する清掃工具であって、
前記延出部は、前記ヘッドが挿通する内側ガイド部と、前記内側ガイド部が挿通する外側ガイド部とを備え、
第１光コネクタの清掃時に、
前記外側ガイド部の外周部が前記第１光コネクタのフェルール端面に対して前記ヘッドをガイドし、
前記第１光コネクタとはハウジングの形状が互いに異なる第２光コネクタの清掃時に、
前記外側ガイド部が後退して、前記内側ガイド部が前記第２光コネクタ側に露出することで、前記内側ガイド部の外周部が前記第２光コネクタのフェルール端面に対して前記ヘッドをガイドする
ことを特徴とする清掃工具。
【請求項２】
請求項１に記載の清掃工具であって、
前記第１光コネクタ及び前記第２光コネクタは、光レセプタクルであり、前記第１光コネクタと前記第２光コネクタとは、前記ハウジングの内面の形状が互いに異なる
ことを特徴とする清掃工具。
【請求項３】
請求項１又は２に記載の清掃工具であって、
前記第２光コネクタの清掃時に、
前記外側ガイド部の前記第２光コネクタ側の端面を、前記第２光コネクタの前記ハウジングの端面に押し当てることで、前記外側ガイド部を後退させる
ことを特徴とする清掃工具。
【請求項４】
請求項２に記載の清掃工具であって、
前記内側ガイド部の前記外周部に平坦面が形成されている
ことを特徴とする清掃工具。
【請求項５】
請求項１〜４のいずれかに記載の清掃工具であって、
前記延出部は、前記工具本体に対して所定方向に移動可能であり、
前記工具本体と前記延出部との相対移動によって、前記押圧面に前記清掃体を供給するとともに、前記押圧面における前記清掃体を回収する送り機構をさらに備える
ことを特徴とする清掃工具。
【請求項６】
請求項５に記載の清掃工具であって、
前記第１光コネクタの清掃時に、
前記内側ガイド部の前記第１光コネクタ側の端面を、前記第１光コネクタの前記ハウジングに押し当てることで、前記相対移動をさせる
ことを特徴とする清掃工具。
【請求項７】
請求項５に記載の清掃工具であって、
前記延出部は、前記ヘッドを内部に挿通するプラグ側ガイド部を備え、
前記第２光コネクタの清掃時に、
前記プラグ側ガイド部の前記第２光コネクタ側の端面を、前記第２光コネクタの前記ハウジングに押し当てることで、前記相対移動をさせる
ことを特徴とする清掃工具。
【発明の詳細な説明】
【技術分野】
【０００１】
本発明は、清掃工具に関する。
【背景技術】
【０００２】
光コネクタ同士の接続は、各光コネクタの接合端面（フェルール端面）における光ファイバ端面同士を突き合わせることで実現される。光コネクタの接合端面や光ファイバ端面に汚れが付着していると、光コネクタ及び光ファイバの損傷や伝送損失の増大などの原因になる。このため、突き合わせ接続に先だって、光コネクタの接合端面を清掃する必要がある。
【０００３】
清掃のための工具として、例えば、特許文献１及び特許文献２には、工具本体と、清掃体を光コネクタの接合端面に押し当てるヘッド部材とを有する挿入部（後述する延出部に相当）とを備えた清掃工具が記載されている。この清掃工具によれば、清掃体を光コネクタに押し付けた状態で工具本体を挿入部に対して移動させることによって、清掃体の供給と回収が行われるとともに、ヘッド部材が回転し、光コネクタの接合端面を清掃体で拭き取ることができる。また、特許文献１及び特許文献２記載の清掃工具では、工具本体から延び出た挿入部を光アダプタ（若しくは光コネクタレセプタクル）に挿入して、光アダプタ内のフェルール端面を清掃可能であるとともに、ガイドを備えるアタッチメントを挿入部に装着することによって、光プラグ側のフェルール端面も清掃可能である。
【先行技術文献】
【特許文献】
【０００４】
【特許文献１】特許第４５７９３３０号公報
【特許文献２】特許第４７７９０４９号公報
【発明の概要】
【発明が解決しようとする課題】
【０００５】
特許文献１及び特許文献２に記載の清掃工具では、例えば光アダプタ（光コネクタレセプタクル）内のフェルール端面を清掃する際、清掃工具の挿入部が、光アダプタ（光コネクタレセプタクル）のコネクタ収容穴に挿入したときに位置決めされるように形成されている。さらに、挿入部を着脱可能に形成し、光アダプタ（光コネクタレセプタクル）のコネクタ収容穴の形状に応じた形状とすることによって、複数のタイプの光アダプタ（光コネクタレセプタクル）内のフェルール端面の清掃をすることができる。しかし、光アダプタ（光コネクタレセプタクル）のタイプによって異なる挿入部をその都度付け外す必要があった。このため、挿入部の付け外し作業の分の手間がかかることで、清掃作業全体の作業効率が低下してしまうことが問題となっていた。
【０００６】
本発明は、ハウジングの形状が互いに異なる光コネクタレセプタクル内のフェルール端面を容易に清掃することができる光コネクタの清掃工具を提供することを目的とする。
【課題を解決するための手段】
【０００７】
本発明の幾つかの実施形態は、工具本体と、押圧面において清掃体を清掃対象に押し当てるヘッドを備え、前記工具本体から延び出た延出部とを有する清掃工具であって、前記延出部は、前記ヘッドが挿通する内側ガイド部と、前記内側ガイド部が挿通する外側ガイド部とを備え、第１光コネクタの清掃時に、前記外側ガイド部の外周部が前記第１光コネクタのフェルール端面に対して前記ヘッドをガイドし、前記第１光コネクタとはハウジングの形状が互いに異なる第２光コネクタの清掃時に、前記外側ガイド部が後退して、前記内側ガイド部が前記第２光コネクタ側に露出することで、前記内側ガイド部の外周部が前記第２光コネクタのフェルール端面に対して前記ヘッドをガイドすることを特徴とする清掃工具である。
【０００８】
本発明の他の特徴については、後述する明細書及び図面の記載により明らかにする。
【発明の効果】
【０００９】
本発明の幾つかの実施形態によれば、ハウジングの形状が互いに異なる光コネクタレセプタクル内のフェルール端面を容易に清掃することができる。
【図面の簡単な説明】
【００１０】
【図１】図１は、第１実施形態の清掃工具１０の全体斜視図である。
【図２】図２は、第１実施形態の清掃工具１０の分解斜視図である。
【図３】図３は、図１のＡ−Ａ線における第１実施形態の清掃工具１０の断面図である。
【図４】図４Ａ〜図４Ｃは、光プラグ７０清掃時の第１実施形態の清掃工具１０の様子（フェルール端面７１Ａへの清掃体１押し当て前）を示す断面図である。
【図５】図５Ａ〜図５Ｃは、光プラグ７０清掃時の第１実施形態の清掃工具１０の様子（フェルール端面７１Ａへの清掃体１押し当て後）を示す断面図である。
【図６】図６Ａ〜図６Ｃは、第１光レセプタクル９１清掃時の第１実施形態の清掃工具１０の様子（フェルール端面７１Ａへの清掃体１押し当て前）を示す断面図である。
【図７】図７Ａ〜図７Ｂは、第１光レセプタクル９１清掃時の第１実施形態の清掃工具１０の様子（フェルール端面７１Ａへの清掃体１押し当て後）を示す断面図である。
【図８】図８Ａ〜図８Ｃは、第２光レセプタクル９６清掃時の第１実施形態の清掃工具１０の様子（フェルール端面７１Ａへの清掃体１押し当て前）を示す断面図である。
【図９】図９Ａ〜図９Ｂは、第２光レセプタクル９６清掃時の第１実施形態の清掃工具１０の様子（フェルール端面７１Ａへの清掃体１押し当て後）を示す断面図である。
【図１０】図１０Ａ〜図１０Ｃは、光アダプタ８０清掃時の第１実施形態の清掃工具１０の様子（ラッチ爪８３への内側ガイド端面５３突き当て前）を示す断面図である。
【図１１】図１１Ａ〜図１１Ｂは、光アダプタ８０清掃時の第１実施形態の清掃工具１０の様子（ラッチ爪８３への内側ガイド端面５３突き当て後）を示す断面図である。
【図１２】図１２Ａは、第２光レセプタクル９６に第１実施形態の清掃工具１０の内側ガイド部５０の端部を差し込んだ様子を示す斜視図である。図１２Ｂは、光アダプタ８０に第１実施形態の清掃工具１０の内側ガイド部５０の端部を差し込んだ様子を示す斜視図である。
【図１３】図１３は、第２実施形態の清掃工具１０における延出部２０の断面図である。
【図１４】図１４Ａ〜図１４Ｃは、第２光レセプタクル９６清掃時の第２実施形態の清掃工具１０の様子（フェルール端面７１Ａへの清掃体１押し当て前）を示す断面図である。
【図１５】図１５Ａ〜図１５Ｂは、第２光レセプタクル９６清掃時の第２実施形態の清掃工具１０の様子（フェルール端面７１Ａへの清掃体１押し当て後）を示す断面図である。
【図１６】図１６Ａ〜図１６Ｃは、光アダプタ８０清掃時の第２実施形態の清掃工具１０の様子（フェルール端面７１Ａへの清掃体１押し当て前）を示す断面図である。
【図１７】図１７Ａ〜図１７Ｂは、光アダプタ８０清掃時の第２実施形態の清掃工具１０の様子（フェルール端面７１Ａへの清掃体１押し当て後）を示す断面図である。
【発明を実施するための形態】
【００１１】
後述する明細書及び図面の記載から、少なくとも以下の事項が明らかとなる。
【００１２】
工具本体と、押圧面において清掃体を清掃対象に押し当てるヘッドを備え、前記工具本体から延び出た延出部とを有する清掃工具であって、前記延出部は、前記ヘッドが挿通する内側ガイド部と、前記内側ガイド部が挿通する外側ガイド部とを備え、第１光コネクタの清掃時に、前記外側ガイド部の外周部が前記第１光コネクタのフェルール端面に対して前記ヘッドをガイドし、前記第１光コネクタとはハウジングの形状が互いに異なる第２光コネクタの清掃時に、前記外側ガイド部が後退して、前記内側ガイド部が前記第２光コネクタ側に露出することで、前記内側ガイド部の外周部が前記第２光コネクタのフェルール端面に対して前記ヘッドをガイドすることを特徴とする清掃工具が明らかとなる。このような清掃工具によれば、ハウジングの形状が互いに異なる光コネクタレセプタクル内のフェルール端面を容易に清掃することができる。
【００１３】
前記第１光コネクタ及び前記第２光コネクタは、光レセプタクルであり、前記第１光コネクタと前記第２光コネクタとは、前記ハウジングの内面の形状が互いに異なることが望ましい。これにより、ハウジングのコネクタ収容穴の径が互いに異なる光コネクタレセプタクル内のフェルール端面を容易に清掃することができる。
【００１４】
前記第２光コネクタの清掃時に、前記外側ガイド部の前記第２光コネクタ側の端面を、前記第２光コネクタの前記ハウジングの端面に押し当てることで、前記外側ガイド部を後退させることが望ましい。これにより、第２光コネクタ側に露出した内側ガイド部の内側ガイド外周部が、第２光コネクタのハウジングの内壁面にガイドされることができる。
【００１５】
前記内側ガイド部の前記外周部に平坦面が形成されていることが望ましい。これにより、多種類の光コネクタのフェルール端面を容易に清掃することができる。
【００１６】
前記延出部は、前記工具本体に対して所定方向に移動可能であり、前記工具本体と前記延出部との相対移動によって、前記押圧面に前記清掃体を供給するとともに、前記押圧面における前記清掃体を回収する送り機構をさらに備えることが望ましい。これにより、容易な操作で清掃体を供給・回収することができる。
【００１７】
前記第１光コネクタの清掃時に、前記内側ガイド部の前記第１光コネクタ側の端面を、前記第１光コネクタの前記ハウジングに押し当てることで、前記相対移動をさせることが望ましい。これにより、容易な操作で清掃体を供給・回収することができる。
【００１８】
前記延出部は、前記ヘッドを内部に挿通するプラグ側ガイド部を備え、前記第２光コネクタの清掃時に、前記プラグ側ガイド部の前記第２光コネクタ側の端面を、前記第２光コネクタの前記ハウジングに押し当てることで、前記相対移動をさせることが望ましい。これにより、容易な操作で清掃体を供給・回収することができる。
【００１９】
＝＝＝第１実施形態＝＝＝
＜清掃工具１０の全体構成＞
図１は、第１実施形態の清掃工具１０の全体斜視図である。図２は、第１実施形態の清掃工具１０の分解斜視図である。図３は、図１のＡ−Ａ線における第１実施形態の清掃工具１０の断面図である。
【００２０】
以下の説明では、図に示すように各方向を定義する。すなわち、工具本体１１から延出部２０が延び出る方向を「前後方向」とし、工具本体１１から見て延出部２０の側を「前」とし、逆側を「後」とする。また、前後方向に垂直な方向のうち、内側ガイド部５０に形成された２つの平坦面５２が配置されている方向を「上下方向」とする（図２参照）。なお、上下方向は、工具本体１１の中にある供給リール１３の回転軸又は巻取リール１４の回転軸の軸方向でもある（図３参照）。また、前後方向及び上下方向に垂直な方向を「左右方向」とする。
【００２１】
清掃工具１０は、光コネクタのフェルール端面（光ファイバ端面）を清掃するための工具である。以下の説明では、本実施形態の清掃工具１０の構成について説明する前に、清掃工具１０を用いて光コネクタを清掃する際の清掃動作（プッシュ動作及びプル動作）について説明する。図１に示すように、清掃工具１０は、工具本体１１と、工具本体１１に対して前後方向に相対的に移動可能な延出部２０とを有する。また、図３に示すように、清掃工具１０は、ヘッド部２１と、清掃体１を供給・回収する送り機構１２とを備えている。ヘッド部２１の前側の端部には押圧面２２Ａ（ヘッド面）が設けられており、押圧面２２Ａには清掃体１が掛け回されている。送り機構１２は、清掃時の工具本体１１と延出部２０との相対移動を利用して、押圧面２２Ａに未使用の清掃体１を供給するとともに、使用済みの清掃体１を回収している（後述）。
【００２２】
清掃工具１０を用いて光コネクタを清掃するとき、作業者は、工具本体１１を手に持ち、延出部２０の先端を光コネクタの挿入口に挿入して、光コネクタに押圧面２２Ａの清掃体１を押し付け、その状態で工具本体１１を前側に向かって移動させる（プッシュ動作）。その後、作業者は、延出部２０を光コネクタから引き出す（プル動作）。このように、清掃動作の中で、プッシュ動作とプル動作とが行われることになる。プッシュ動作では、工具本体１１が延出部２０に対して前側に移動することになり、工具本体１１から見ると、延出部２０が工具本体１１に対して後側に移動することになる。プル動作では、工具本体１１が延出部２０に対して後側に移動することになり、工具本体１１から見ると、延出部２０が工具本体１１に対して前側に移動することになる。
【００２３】
前述の通り、清掃時の工具本体１１と延出部２０との前後方向の相対移動を利用して、送り機構１２が清掃体１を供給・回収している。但し、送り機構１２は、他の方法で清掃体１を供給・回収しても良い。例えば、円盤状のダイヤルを設け、作業者がダイヤルを回して清掃体１が供給・回収されるようにしても良い。このような送り機構１２を備えた清掃工具１０であれば、工具本体１１と延出部２０とを前後方向に相対移動させなくても良い。
【００２４】
本実施形態では、清掃体１は糸状のものである。但し、清掃体１の形状は、糸状に限られるものではなく、幅のある帯状（テープ状）であっても良い。帯状の清掃体１を用いることにより、光コネクタの端面における光ファイバの端面を確実に清掃可能である。清掃体１は、ポリエステルやナイロンなどの繊維によって、不織布や織布を構成したものが望ましい。但し、清掃体１の材質や形態は、これに限られるものではない。
【００２５】
次に、本実施形態の清掃工具１０の構成について説明する。前述の通り、清掃工具１０は、工具本体１１と、延出部２０とを有する（図１参照）。
【００２６】
工具本体１１は、清掃時に作業者が把持する部位である。工具本体１１は、本体ハウジング１５と、送り機構１２とを備えている（図３参照）。
【００２７】
本体ハウジング１５は、清掃体１や、清掃体１の供給・回収を行う送り機構１２などを内部に収容する収容体である。本体ハウジング１５には、バネ受け部１６Ａが固定されている。バネ受け部１６Ａは、後述するコイルスプリング１８の一端を保持する部位である。バネ受け部１６Ａは、本体ハウジング１５の後側の内壁面に設けられており、コイルスプリング１８の一端（後端部）と接触している。
【００２８】
送り機構１２は、清掃体１の供給・回収を行うための機構である。送り機構１２は、供給リール１３と、巻取リール１４と、移動体１７と、コイルスプリング１８とを備えている（図３参照）。
【００２９】
供給リール１３は、未使用の清掃体１を供給するリールである。供給リール１３には、未使用の清掃体１が巻き回されている。巻取リール１４は、使用済みの清掃体１を巻き取って回収するリールである。移動体１７は、本体ハウジング１５に対して延出部２０とともに前後方向に相対移動する部材である。移動体１７は、供給リール１３と、巻取リール１４とをそれぞれ回転可能に支持している。また、移動体１７は、後述する回転体１９の回転筒部１９Ａを回転可能に支持している。また、移動体１７には、バネ受け部１６Ｂが設けられている。バネ受け部１６Ｂは、コイルスプリング１８の一端を保持する部位である。バネ受け部１６Ｂは、移動体１７の後側の端面に設けられており、コイルスプリング１８の一端（前端部）と接触している。
【００３０】
コイルスプリング１８は、工具本体１１と延出部２０との位置関係を復元させるための弾性部材である。コイルスプリング１８は、本体ハウジング１５と移動体１７との間に配置されている。具体的には、コイルスプリング１８の前端部は移動体１７のバネ受け部１６Ｂに保持されており、コイルスプリング１８の後端部は本体ハウジング１５のバネ受け部１６Ａに保持されている。光コネクタの清掃時に延出部２０が工具本体１１に対して後側に移動すると、本体ハウジング１５の内部において移動体１７が本体ハウジング１５に対して後側に移動し、これにより、コイルスプリング１８が圧縮変形する。圧縮変形したコイルスプリング１８が復元すると、本体ハウジング１５の内部において移動体１７が本体ハウジング１５に対して前側に移動して元の位置に戻り、これにより、延出部２０が工具本体１１に対して前側に移動して元の位置に戻ることになる。
【００３１】
なお、本実施形態の清掃工具１０の送り機構１２では、本体ハウジング１５に固定されたラック（不図示）と、巻取リール１４に回転運動を伝達するピニオン（不図示）とがラックアンドピニオン機構を構成している。これにより、清掃時の工具本体１１と延出部２０との前後方向の直線運動を回転運動に変換している。清掃時に工具本体１１と延出部２０とが前後方向に相対的に移動すると、本体ハウジング１５の内部において移動体１７が本体ハウジング１５に対して前後方向に相対的に移動し、この相対移動によりピニオンが回転する。これにより、巻取リール１４が巻取方向に回転して清掃体１を回収するとともに、巻取リール１４の回収量に相当する未使用の清掃体１が供給リール１３から供給されることになる。
【００３２】
また、本実施形態の清掃工具１０は、ヘッド部２１を回転させるための回転体１９をさらに備えている。さらに、本体ハウジング１５の内壁面に設けられたピン状の挿入凸部１９Ｃが、回転体１９の回転筒部１９Ａのカム溝１９Ｄに嵌合しており、カム溝とともに回転機構（回転体１９を回転させる機構）を構成している。これにより、清掃時の工具本体１１と延出部２０との前後方向の相対移動を利用して、光コネクタに清掃体１を押し付けるヘッド部２１を、前後方向を軸とする回転方向に回転させている。但し、ヘッド部２１が回転しなくても良い。
【００３３】
回転体１９は、前後方向を軸に揺動回転（往復回転）する部材であり、ヘッド部２１を回転させる部材である。回転体１９は、回転筒部１９Ａと、ヘッド支持部１９Ｂとを備えている（図３参照）。
【００３４】
回転筒部１９Ａは、前後方向を軸に揺動回転（往復回転）する円筒状の部位である。回転筒部１９Ａは、外周面に螺旋状のカム溝１９Ｄが形成されており、本体ハウジング１５の内壁面に設けられた挿入凸部１９Ｃがカム溝１９Ｄに嵌合している。また、回転筒部１９Ａは、工具本体１１の移動体１７に回転可能に支持されており、移動体１７（及び延出部２０）とともに本体ハウジング１５に対して前後方向に相対移動する。回転筒部１９Ａは、中空に形成されており、供給リール１３から押圧面２２Ａに供給される未使用の清掃体１が前後方向に挿通されているとともに、押圧面２２Ａから巻取リール１４に回収される使用済みの清掃体１が前後方向に挿通されている。
【００３５】
ヘッド支持部１９Ｂは、ヘッド部２１を支持する部位である。ヘッド支持部１９Ｂは、回転体１９の前側の端部に設けられており、回転筒部１９Ａに接続している。ヘッド支持部１９Ｂは、押圧面２２Ａで清掃体１を光コネクタに押し付けたときにヘッド部２１が後退できるように、ヘッド部２１を支持している。また、ヘッド支持部１９Ｂは、ヘッド支持部１９Ｂとヘッド部２１との間で回転方向に相対移動しないように、回転方向の相対移動を規制（制限）しながらヘッド部２１を支持している。これにより、回転体１９が前後方向を軸に回転すると、ヘッド部２１も回転体１９とともに回転する。また、ヘッド支持部１９Ｂは、後述するヘッド用スプリング２５の一端を保持する部位でもある。ヘッド支持部１９Ｂの前端は、ヘッド用スプリング２５の後端と接している。
【００３６】
延出部２０は、清掃対象となる光コネクタの挿入口に挿入する部材である。延出部２０は、工具本体１１から前側に延出して設けられている。延出部２０は、工具本体１１に対して前後方向に相対的に移動可能である。延出部２０は、ヘッド部２１と、ヘッド用スプリング２５と、ガイドユニット３０とを備えている（図３参照）。
【００３７】
ヘッド部２１は、清掃対象となる光コネクタに清掃体１を押し当てる部材である。ヘッド部２１は、後述するプラグ側ガイド部４０の内部に収容されている。但し、プラグ側ガイド部４０がヘッド部２１に対して後退することで、ヘッド部２１の前側に位置する部位（ヘッド２２）は、プラグ側ガイド部４０のプラグ側ガイド端面４２に形成された挿通孔４２Ａを通ってプラグ側ガイド部４０の外側に露出することが可能である（後述）。ヘッド部２１は、ヘッド２２と、フランジ部２３と、基端部２４とを備えている（図３参照）。
【００３８】
ヘッド２２は、清掃対象に清掃体１を押し当てる部位である。ヘッド２２は、ヘッド部２１の前側に位置する部位である。ヘッド２２の前側の端部は、清掃対象に清掃体１を押し当てるための押圧面２２Ａ（ヘッド面）が設けられている。押圧面２２Ａには、清掃体１が掛け回されている。光コネクタに清掃体１を押し付けられるように、押圧面２２Ａに掛け回した清掃体１がヘッド２２の外部に露出している。なお、ヘッド部２１は、プラグ側ガイド部４０の内部に収容され、押圧面２２Ａはプラグ側ガイド部４０のプラグ側ガイド端面４２より後側に位置しているため、清掃体１もプラグ側ガイド部４０の内部に位置している（後述）。但し、プラグ側ガイド部４０がヘッド部２１に対して後退することで、ヘッド２２がプラグ側ガイド端面４２に形成された挿通孔４２Ａを通ってプラグ側ガイド部４０の外側に露出することができ、このとき清掃体１もプラグ側ガイド部４０の外側に露出することになる（後述）。
【００３９】
フランジ部２３は、後述するヘッド用スプリング２５の一端を保持する部位である。フランジ部２３は、ヘッド２２の後側においてヘッド２２よりも外周が突出した部位である。フランジ部２３はヘッド用スプリング２５の前端部と接しており、ヘッド２２（ヘッド部２１）はフランジ部２３を介してヘッド用スプリング２５によって前側に押圧されている。
【００４０】
基端部２４は、フランジ部２３の後側の部位である。基端部２４は、ヘッド支持部１９Ｂによって、ヘッド支持部１９Ｂとの相対的な回転移動を規制されながら、後退可能に支持されている。また、基端部２４はヘッド用スプリング２５に挿通されている。
【００４１】
ヘッド用スプリング２５は、ヘッド部２１を前側に押圧するための弾性部材である。ヘッド用スプリング２５は、ヘッド部２１のフランジ部２３と、回転体１９のヘッド支持部１９Ｂとの間に配置されている。具体的には、ヘッド用スプリング２５の前端部はヘッド部２１のフランジ部２３に保持されており、ヘッド用スプリング２５の後端部は回転体１９のヘッド支持部１９Ｂに保持されている。清掃時にヘッド部２１がプラグ側ガイド部４０に対して後側に移動すると、ヘッド用スプリング２５が圧縮変形する。これにより、ヘッド部２１の押圧面２２Ａにおいて所定の押圧力で清掃体１を光コネクタに押し付けることができる。
【００４２】
ガイドユニット３０は、延出部２０の先端を清掃対象となる光コネクタの挿入口に挿入する際のガイドとなる部材である。また、ガイドユニット３０は、延出部２０においてヘッド部２１や、回転体１９を覆うための部材（カバー）でもある。ガイドユニット３０は、複数の部材から構成されている。ガイドユニット３０の詳細な構成については、後述する。
【００４３】
＜ガイドユニット３０＞
次に、図２及び図３を参照して、ガイドユニット３０の詳細な構成について説明する。以下の説明では、まず清掃工具１０の清掃対象となる光コネクタについて説明した後、ガイドユニット３０の詳細な構成について説明する。
【００４４】
前述の通り、清掃工具１０は、光コネクタのフェルール端面（光ファイバ端面）を清掃するための工具である。本実施形態では、フェルールをコネクタハウジングの先端部に収容した構成の光コネクタプラグ（以下、単に「光プラグ」という）について、清掃工具１０の清掃対象とすることができる。また、一方から光プラグを挿入して内部の光コネクタ（フェルール）と光接続させるための光コネクタレセプタクル（以下、単に「光レセプタクル」という）についても、清掃工具１０の清掃対象とすることができる。なお、以下の説明では、光レセプタクルには、ハウジング（アダプタハウジング）のコネクタ収容穴に光プラグを挿入した構成の光コネクタアダプタ（以下、単に「光アダプタ」という）を含む。但し、清掃工具１０は、これ以外の光コネクタも清掃対象とすることができる。
【００４５】
清掃工具１０は、前述したように、光プラグや光レセプタクルなどの様々な種類の光コネクタのフェルール端面を清掃対象とすることができる。ここで、光コネクタの種類が異なると、清掃工具１０の延出部２０の先端が挿入される挿入口の形状も異なる。本実施形態では、延出部２０がガイドユニット３０を備えることにより、異なった形状の挿入口に対して延出部２０の先端を挿入するだけで、様々な種類の光コネクタのフェルール端面に清掃体１を精度良く対向させることができる。この際、清掃作業の作業者は、清掃工具１０にガイドユニット３０が取り付けられたまま、延出部２０の先端を挿入口に挿入するだけでよい。これにより、清掃作業の作業者は、例えば清掃対象を光プラグ側のフェルール端面とするか、あるいは光レセプタクル内のフェルール端面とするかによってアタッチメントをその都度付け外す必要がない。このようにして、様々な種類の光コネクタのフェルール端面について、容易に清掃することができ、清掃作業全体の作業効率の低下を抑制することができる。
【００４６】
ガイドユニット３０は、プラグ側ガイド部４０と、プラグ側スプリング４５と、内側ガイド部５０と、外側ガイド部６０と、外側スプリング６５と、外側バネ受け部６６とを有する（図２及び図３参照）。
【００４７】
プラグ側ガイド部４０は、後述する光プラグ７０のコネクタハウジング７２の内側（内壁面７２Ｂ）に嵌合することで（図４Ｃ参照）、清掃工具１０の延出部２０の先端をガイドする部材である。プラグ側ガイド部４０は、回転体１９及びヘッド部２１を覆う円筒状の部材である。また、プラグ側ガイド部４０は、中空に形成されており、回転体１９及びヘッド部２１が前後方向に挿通されている。
【００４８】
プラグ側ガイド部４０には、バネ受け部４１が設けられている。バネ受け部４１は、後述するプラグ側スプリング４５の一端を保持する部位である。バネ受け部４１は、プラグ側ガイド部４０の後側の端部に設けられており、プラグ側スプリング４５の一端（前端部）と接触している。
【００４９】
また、プラグ側ガイド部４０には、プラグ側ガイド端面４２が設けられている。プラグ側ガイド端面４２は、清掃対象となる光コネクタの一部（例えば後述する光プラグ７０のコネクタハウジング７２の突き当て面７２Ｃ、図５Ｂ参照）に突き当たる部位である。プラグ側ガイド端面４２は、プラグ側ガイド部４０の前側の端部に設けられており、清掃対象となる光コネクタの一部（例えば後述する光プラグ７０のコネクタハウジング７２の突き当て面７２Ｃ、図５Ｂ参照）に後側に押圧されることにより、プラグ側ガイド部４０が内側ガイド部５０に対して後退可能となっている。また、プラグ側ガイド部４０はヘッド部２１に対しても後退可能となっている。なお、本実施形態の清掃工具１０では、プラグ側ガイド端面４２は、プラグ側ガイド部４０の内部に挿通されたヘッド部２１のヘッド２２の押圧面２２Ａより前側に位置している。
【００５０】
プラグ側ガイド端面４２には、挿通孔４２Ａが設けられている。挿通孔４２Ａは、ヘッド部２１のヘッド２２が挿通可能な大きさの開口である。したがって、プラグ側ガイド部４０がヘッド部２１に対して後退したとき、ヘッド部２１のヘッド２２の押圧面２２Ａがプラグ側ガイド端面４２よりも前側に出ることになる。以下の説明では、このようにヘッド２２の押圧面２２Ａがプラグ側ガイド端面４２よりも前に出ることを、ヘッド２２（ヘッド部２１）が「前側に露出する」と言うことがある。
【００５１】
本実施形態の清掃工具１０では、挿通孔４２Ａは、清掃対象である光コネクタのフェルールが挿通可能な大きさの開口でもある。また、挿通孔４２Ａは、フェルールの外周部と略同じ大きさの開口であってもよい。これにより、光コネクタの清掃時に挿通孔４２Ａを介してプラグ側ガイド部４０の内部にフェルールが挿入されることで、フェルールをガイドすることができる。したがって、フェルール端面に清掃体１を精度良く対向させることができる。但し、挿通孔４２Ａは、ヘッド２２や清掃対象である光コネクタのフェルールが挿通可能であれば、どのような形状であってもよい。
【００５２】
プラグ側スプリング４５は、プラグ側ガイド部４０を内側ガイド部５０及びヘッド部２１に対して後退可能に前側に押圧する弾性部材である。プラグ側スプリング４５は、プラグ側ガイド部４０と、内側ガイド部５０及びヘッド部２１との位置関係を復元させるための弾性部材でもある。プラグ側スプリング４５は、プラグ側ガイド部４０と移動体１７との間に配置されている。具体的には、プラグ側スプリング４５の前端部はプラグ側ガイド部４０のバネ受け部４１に保持されており、プラグ側スプリング４５の後端部は移動体１７のバネ受け部１７Ａに保持されている（図３参照）。光コネクタの清掃時にプラグ側ガイド部４０が後側に押圧されると、プラグ側ガイド部４０が内側ガイド部５０及びヘッド部２１に対して後側に移動し、これにより、プラグ側スプリング４５が圧縮変形する。圧縮変形したプラグ側スプリング４５が復元すると、プラグ側ガイド部４０が内側ガイド部５０及びヘッド部２１に対して前側に移動して元の位置に戻ることになる。
【００５３】
内側ガイド部５０は、後述する第２光レセプタクル９６のレセプタクルハウジング９７の内側（内壁面９７Ａ）に嵌合することで（図９Ａ参照）、清掃工具１０の延出部２０の先端をガイドする部材である。また、内側ガイド部５０は、後述する光アダプタ８０のアダプタハウジング８１の内側（内壁面８１Ｂ）に嵌合することで（図１０Ｃ参照）、清掃工具１０の延出部２０の先端をガイドする部材である。内側ガイド部５０は、プラグ側ガイド部４０を覆う円筒状の部材である。内側ガイド部５０は、中空に形成されており、プラグ側ガイド部４０が前後方向に挿通されている。
【００５４】
内側ガイド部５０には、係合凹部５４が設けられている（図２参照）。係合凹部５４は、内側ガイド部５０を移動体１７に対して固定する部位である。係合凹部５４は、内側ガイド部５０の後側の端部に設けられた凹部であり、工具本体１１の移動体１７の係合凸部（不図示）が係合することで、内側ガイド部５０を移動体１７に対して固定する。したがって、移動体１７が本体ハウジング１５に対して前後方向に相対移動すると、内側ガイド部５０も本体ハウジング１５に対して同様に前後方向に相対移動することになる。また、内側ガイド部５０から見ると、内側ガイド部５０が前後方向に相対移動すると、移動体１７が本体ハウジング１５に対して同様に前後方向に相対移動することになる。つまり、内側ガイド部５０と移動体１７とが、本体ハウジング１５に対して一体的に前後方向に相対移動することになる。
【００５５】
また、内側ガイド部５０には、内側ガイド端面５３が設けられている。内側ガイド端面５３は、清掃対象となる光コネクタの一部（例えば後述する第１光レセプタクル９１のレセプタクルハウジング９２の当接部９２Ｃ、図７Ｂ参照）に突き当たる部位である。内側ガイド端面５３は、内側ガイド部５０の前側の端部に設けられており、清掃対象となる光コネクタの一部（例えば後述する第１光レセプタクル９１のレセプタクルハウジング９２の当接部９２Ｃ、図７Ｂ参照）に後側に押圧されることにより、内側ガイド部５０が移動体１７とともに本体ハウジング１５に対して後退可能となっている。内側ガイド端面５３には、挿通孔５１が設けられている。挿通孔５１は、プラグ側ガイド部４０が挿通可能な大きさの開口である。
【００５６】
外側ガイド部６０は、後述する第１光レセプタクル９１のレセプタクルハウジング９２の内側（内壁面９２Ａ）に嵌合することで（図６Ｂ参照）、清掃工具１０の延出部２０の先端をガイドする部材である。外側ガイド部６０は、内側ガイド部５０を覆う円筒状の部材である。外側ガイド部６０は、中空に形成されており、内側ガイド部５０が前後方向に挿通されている。
【００５７】
外側ガイド部６０には、外側ガイド端面６２が設けられている。外側ガイド端面６２は、清掃対象となる光コネクタの一部（例えば後述する第２光レセプタクル９６のレセプタクルハウジング９７のハウジング端面９７Ｃ、図８Ｃ参照）に突き当たる部位である。外側ガイド端面６２は、外側ガイド部６０の前側の端部に設けられており、清掃対象となる光コネクタの一部（例えば後述する第２光レセプタクル９６のレセプタクルハウジング９７のハウジング端面９７Ｃ、図８Ｃ参照）に後側に押圧されることにより、外側ガイド部６０が内側ガイド部５０に対して後退可能となっている。外側ガイド端面６２には、挿通孔６１が設けられている。挿通孔６１は、内側ガイド部５０が挿通可能な大きさの開口である。
【００５８】
外側スプリング６５は、外側ガイド部６０を内側ガイド部５０に対して後退可能に前側に押圧する弾性部材である。外側スプリング６５は、外側ガイド部６０と内側ガイド部５０との位置関係を復元させるための弾性部材でもある。外側スプリング６５は、外側ガイド部６０と、後述する外側バネ受け部６６との間に配置されている。具体的には、外側スプリング６５の前端部は外側ガイド部６０の後端に接触しており、外側スプリング６５の後端部は外側バネ受け部６６に保持されている。光コネクタの清掃時に外側ガイド部６０が後側に押圧されると、外側ガイド部６０が内側ガイド部５０に対して後側に移動し、これにより、外側スプリング６５が圧縮変形する。圧縮変形した外側スプリング６５が復元すると、外側ガイド部６０が内側ガイド部５０に対して前側に移動して元の位置に戻ることになる。
【００５９】
外側バネ受け部６６は、外側スプリング６５の一端を保持する部位である。外側バネ受け部６６は、内側ガイド部５０に固定されており、外側スプリング６５の一端（前端部）と接触している。外側バネ受け部６６は内側ガイド部５０に固定されているので、外側バネ受け部６６と内側ガイド部５０とは、移動体１７とともに本体ハウジング１５に対して一体的に前後方向に相対移動することになる。
【００６０】
＜光プラグの清掃手順＞
図４Ａ〜図４Ｃは、光プラグ７０清掃時の第１実施形態の清掃工具１０の様子（フェルール端面７１Ａへの清掃体１押し当て前）を示す断面図である。図５Ａ〜図５Ｃは、光プラグ７０清掃時の第１実施形態の清掃工具１０の様子（フェルール端面７１Ａへの清掃体１押し当て後）を示す断面図である。なお、図４Ａ〜図４Ｃ及び図５Ａ〜図５Ｃでは、外側ガイド部６０、外側スプリング６５及び外側バネ受け部６６の図示を省略している。
【００６１】
図４Ａは、本実施形態において、光プラグ７０の清掃前の清掃工具１０と光プラグ７０との様子を示す図である。清掃作業の作業者は、清掃工具１０のヘッド２２の押圧面２２Ａ（プラグ側ガイド部４０のプラグ側ガイド端面４２）を、光プラグ７０のフェルール７１のフェルール端面７１Ａに対向させるようにして、清掃工具１０を光プラグ７０側へ移動させる。この際、作業者は、図４Ｂに示すように、プラグ側ガイド端面４２の挿通孔４２Ａにフェルール７１の端部を挿入するように清掃工具１０を光プラグ７０側へ移動させることになる。前述したように、ヘッド２２が挿通可能な挿通孔４２Ａは、フェルール７１が挿通可能な大きさの開口でもある。また、挿通孔４２Ａは、フェルール７１の外周部と略同じ大きさの開口でもある。本実施形態では、作業者が挿通孔４２Ａにフェルール７１を挿入させることによって、挿通孔４２Ａにフェルール７１がガイドされてもよい。これにより、清掃工具１０の延出部２０の前側端部が、光プラグ７０に対して上下方向及び左右方向（前後方向に垂直な方向）に位置合わせされる。したがって、作業者は、フェルール端面７１Ａに清掃体１を精度良く対向させることができる。
【００６２】
作業者が清掃工具１０を光プラグ７０側へさらに移動させると、図４Ｃに示すように、プラグ側ガイド部４０のプラグ側ガイド外周部４３が、光プラグ７０のコネクタハウジング７２の内壁面７２Ｂに嵌合する。この際、プラグ側ガイド外周部４３はフェルール端面７１Ａに清掃体１を対向させる際のガイド面となる。これにより、清掃工具１０の延出部２０の前側端部が、光プラグ７０に対して上下方向及び左右方向（前後方向に垂直な方向）に位置合わせされる。したがって、作業者は、フェルール端面７１Ａに清掃体１を精度良く対向させることができる。但し、フェルール端面７１Ａに清掃体１を対向させる際のガイドとなるようなものであれば、プラグ側ガイド部４０のプラグ側ガイド外周部４３が、光プラグ７０のコネクタハウジング７２の内壁面７２Ｂに嵌合しなくてもよい。
【００６３】
また、作業者が清掃工具１０を光プラグ７０側へさらに移動させると、図５Ａに示すように、挿通孔４２Ａからプラグ側ガイド部４０の内部に挿入されたヘッド２２がフェルール端面７１Ａに当接する。前述したように、ヘッド２２の押圧面２２Ａには、清掃体１が掛け回されている。したがって、これにより、フェルール端面７１Ａに清掃体１が押し当てられることになる。本実施形態では、プラグ側ガイド部４０のプラグ側ガイド外周部４３が光プラグ７０のコネクタハウジング７２の内壁面７２Ｂによってガイドされるため、精度よくフェルール端面７１Ａに清掃体１を押し当てることができる。なお、前述したように、本実施形態の清掃工具１０では、ヘッド用スプリング２５を有することにより、ヘッド２２の押圧面２２Ａにおいて所定の押圧力で清掃体１をフェルール端面７１Ａに押し付けることができる。
【００６４】
作業者が清掃工具１０を光プラグ７０側へさらに移動させると、図５Ｂに示すように、光プラグ７０の突き当て面７２Ｃにプラグ側ガイド部４０のプラグ側ガイド端面４２が突き当たる。作業者が清掃工具１０を光プラグ７０側へさらに移動させると、プラグ側ガイド部４０（プラグ側ガイド端面４２）がコネクタハウジング７２（突き当て面７２Ｃ）から後方に力を受けることで、プラグ側ガイド部４０の後部に位置するプラグ側スプリング４５が圧縮変形する。これにより、プラグ側ガイド部４０は、内側ガイド部５０に対してさらに後側に移動することができる。そして、図５Ｃに示すように、内側ガイド部５０の内側ガイド端面５３が光プラグ７０のコネクタハウジング７２の端面７２Ａに突き当たる。
【００６５】
この状態から清掃工具１０を光プラグ７０側へさらに移動させると、内側ガイド部５０の内側ガイド端面５３が、コネクタハウジング７２の端面７２Ａから後側に押圧されることにより、内側ガイド部５０は、移動体１７とともに本体ハウジング１５に対して後退する。これにより、本体ハウジング１５の内部において移動体１７が本体ハウジング１５に対して前後方向に相対的に移動し、この相対移動により清掃体１を回収するとともに、回収量に相当する未使用の清掃体１が供給されることになる。つまり、清掃工具１０の延出部２０を清掃対象（ここでは光プラグ７０のフェルール端面７１Ａ）に対して押し込むという容易な操作で清掃体１を供給・回収することができる。つまり、清掃工具１０の延出部２０を清掃対象（ここでは光プラグ７０のコネクタハウジング７２の端面７２Ａ）に対して押し込むという容易な操作で清掃体１を供給・回収することができる。
【００６６】
＜第１光レセプタクルの清掃手順＞
図６Ａ〜図６Ｃは、第１光レセプタクル９１清掃時の第１実施形態の清掃工具１０の様子（フェルール端面７１Ａへの清掃体１押し当て前）を示す断面図である。図７Ａ〜図７Ｂは、第１光レセプタクル９１清掃時の第１実施形態の清掃工具１０の様子（フェルール端面７１Ａへの清掃体１押し当て後）を示す断面図である。
【００６７】
図６Ａは、本実施形態において、第１光レセプタクル９１の清掃前の清掃工具１０と第１光レセプタクル９１との様子を示す図である。清掃作業の作業者は、清掃工具１０のヘッド２２の押圧面２２Ａ（プラグ側ガイド部４０のプラグ側ガイド端面４２）を、第１光レセプタクル９１のフェルール７１のフェルール端面７１Ａに対向させるようにして、清掃工具１０を第１光レセプタクル９１側へ移動させる。
【００６８】
作業者が清掃工具１０を第１光レセプタクル９１側へ移動させると、図６Ｂに示すように、外側ガイド部６０の外側ガイド外周部６３が、第１光レセプタクル９１のレセプタクルハウジング９２の内壁面９２Ａに嵌合する。この際、外側ガイド外周部６３はフェルール端面７１Ａに清掃体１を対向させる際のガイド面となる。これにより、清掃工具１０の延出部２０の前側端部が、第１光レセプタクル９１に対して上下方向及び左右方向（前後方向に垂直な方向）に位置合わせされる。したがって、作業者は、フェルール端面７１Ａに清掃体１を精度良く対向させることができる。但し、フェルール端面７１Ａに清掃体１を対向させる際のガイドとなるようなものであれば、外側ガイド部６０の外側ガイド外周部６３が、第１光レセプタクル９１のレセプタクルハウジング９２の内壁面９２Ａに嵌合しなくてもよい。
【００６９】
作業者は、図６Ｃに示すように、フェルール収容部９２Ｂの後側端面にプラグ側ガイド端面４２が突き当たるように清掃工具１０を第１光レセプタクル９１側へ移動させることになる。本実施形態では、外側ガイド部６０の外側ガイド外周部６３が第１光レセプタクル９１のレセプタクルハウジング９２の内壁面９２Ａによってガイドされるため、精度よくプラグ側ガイド部４０のプラグ側ガイド端面４２をフェルール収容部９２Ｂに突き当てることができる。
【００７０】
フェルール収容部９２Ｂの後側端面にプラグ側ガイド端面４２が突き当たった状態（図６Ｃ参照）で作業者が清掃工具１０を光アダプタ８０側へさらに移動させると、プラグ側ガイド部４０のプラグ側ガイド端面４２が、フェルール収容部９２Ｂの後側端面から後側に押圧されることにより、プラグ側ガイド部４０は、ヘッド２２及び内側ガイド部５０に対して後退する。プラグ側ガイド部４０がヘッド２２に対して後退したとき、ヘッド２２の端面である押圧面２２Ａがプラグ側ガイド端面４２よりも前側に露出することになる（図７Ａ参照）。これにより、フェルール収容部９２Ｂの後側端面にプラグ側ガイド端面４２が突き当たった状態で、ヘッド２２をフェルール収容部９２Ｂ内部のフェルール挿入穴に挿入することができる。本実施形態では、外側ガイド部６０の外側ガイド外周部６３が第１光レセプタクル９１のレセプタクルハウジング９２の内壁面９２Ａによってガイドされるため、精度よくヘッド２２をフェルール収容部９２Ｂ内部のフェルール挿入穴に挿入することができる。
【００７１】
また、作業者が清掃工具１０を第１光レセプタクル９１側へさらに移動させると、図７Ａに示すように、ヘッド２２がフェルール収容部９２Ｂ内部のフェルール挿入穴に挿入される。さらに、フェルール収容部９２Ｂ内部のフェルール挿入穴に挿入されたヘッド２２がフェルール端面７１Ａに当接する。前述したように、ヘッド２２の押圧面２２Ａには、清掃体１が掛け回されている。したがって、これにより、フェルール端面７１Ａに清掃体１が押し当てられることになる。本実施形態では、外側ガイド部６０の外側ガイド外周部６３が第１光レセプタクル９１のレセプタクルハウジング９２の内壁面９２Ａによってガイドされるため、精度よくフェルール端面７１Ａに清掃体１を押し当てることができる。なお、前述したように、本実施形態の清掃工具１０では、ヘッド用スプリング２５を有することにより、ヘッド２２の押圧面２２Ａにおいて所定の押圧力で清掃体１をフェルール端面７１Ａに押し付けることができる。
【００７２】
また、作業者が清掃工具１０を第１光レセプタクル９１側へさらに移動させると、図７Ｂに示すように、内側ガイド端面５３がレセプタクルハウジング９２の当接部９２Ｃに当接する。この状態から清掃工具１０を第１光レセプタクル９１側へさらに移動させると、内側ガイド部５０の内側ガイド端面５３が、当接部９２Ｃから後側に押圧されることにより、内側ガイド部５０は、移動体１７とともに本体ハウジング１５に対して後退する。これにより、本体ハウジング１５の内部において移動体１７が本体ハウジング１５に対して前後方向に相対的に移動し、この相対移動により清掃体１を回収するとともに、回収量に相当する未使用の清掃体１が供給されることになる。つまり、清掃工具１０の延出部２０を清掃対象（ここでは第１光レセプタクル９１の当接部９２Ｃ）に対して押し込むという容易な操作で清掃体１を供給・回収することができる。
【００７３】
＜第２光レセプタクルの清掃手順＞
図８Ａ〜図８Ｃは、第２光レセプタクル９６清掃時の第１実施形態の清掃工具１０の様子（フェルール端面７１Ａへの清掃体１押し当て前）を示す断面図である。図９Ａ〜図９Ｂは、第２光レセプタクル９６清掃時の第１実施形態の清掃工具１０の様子（フェルール端面７１Ａへの清掃体１押し当て後）を示す断面図である。なお、図９Ａの上部には、図９Ａ中の矢印方向の断面図を示している。
【００７４】
図８Ａは、本実施形態において、第２光レセプタクル９６の清掃前の清掃工具１０と第２光レセプタクル９６との様子を示す図である。本実施形態では、第２光レセプタクル９６のレセプタクルハウジング９７の内面の形状は、第１光レセプタクル９１のレセプタクルハウジング９２と異なる。また、第２光レセプタクル９６のレセプタクルハウジング９７の内面の径（図８ＡのＸ部分参照）は、第１光レセプタクル９１のレセプタクルハウジング９２の内面の径（図６ＡのＹ部分参照）より小さい（Ｘ＜Ｙ）。
【００７５】
清掃作業の作業者は、清掃工具１０のヘッド２２の押圧面２２Ａ（プラグ側ガイド部４０のプラグ側ガイド端面４２）を、第２光レセプタクル９６のフェルール７１のフェルール端面７１Ａに対向させるようにして、清掃工具１０を第２光レセプタクル９６側へ移動させる。この際、作業者は、図８Ｂに示すように、フェルール収容部９７Ｂの後側端面にプラグ側ガイド端面４２が突き当たるように清掃工具１０を第２光レセプタクル９６側へ移動させることになる。
【００７６】
フェルール収容部９７Ｂの後側端面にプラグ側ガイド端面４２が突き当たった状態（図８Ｂ参照）で作業者が清掃工具１０を第２光レセプタクル９６側へさらに移動させると、図８Ｃに示すように、外側ガイド部６０の外側ガイド端面６２がレセプタクルハウジング９７のハウジング端面９７Ｃに当接する。前述したように、第２光レセプタクル９６のレセプタクルハウジング９７の内面の径（図８ＡのＸ部分参照）は、第１光レセプタクル９１のレセプタクルハウジング９２の内面の径（図６ＡのＹ部分参照）より小さくなっている（Ｘ＜Ｙ）。このため、外側ガイド部６０は、第２光レセプタクル９６のレセプタクルハウジング９７に嵌合することなく、外側ガイド部６０の外側ガイド端面６２がレセプタクルハウジング９７のハウジング端面９７Ｃに当接することになる。
【００７７】
外側ガイド部６０の外側ガイド端面６２がレセプタクルハウジング９７のハウジング端面９７Ｃに当接した状態から清掃工具１０を第２光レセプタクル９６側へさらに移動させると、外側ガイド部６０の外側ガイド端面６２が、ハウジング端面９７Ｃから後側に押圧されることにより、外側ガイド部６０が内側ガイド部５０に対して後退する。これにより、後述するように、前側に露出した内側ガイド部５０の内側ガイド外周部５５が、第２光レセプタクル９６のレセプタクルハウジング９７の内壁面９７Ａに嵌合することができる。
【００７８】
また、フェルール収容部９７Ｂの後側端面にプラグ側ガイド端面４２が突き当たった状態（図８Ｂ参照）で作業者が清掃工具１０を第２光レセプタクル９６側へさらに移動させると、プラグ側ガイド部４０のプラグ側ガイド端面４２が、フェルール収容部９７Ｂの後側端面から後側に押圧されることにより、プラグ側ガイド部４０は、ヘッド２２及び内側ガイド部５０に対して後退する。プラグ側ガイド部４０がヘッド２２に対して後退したとき、ヘッド２２の端面である押圧面２２Ａがプラグ側ガイド端面４２よりも前側に露出することになる。これにより、フェルール収容部９７Ｂの後側端面にプラグ側ガイド端面４２が突き当たった状態で、ヘッド２２をスリーブホルダ端部８２内部のフェルール挿入穴に挿入することができる。本実施形態では、内側ガイド部５０の内側ガイド外周部５５が第２光レセプタクル９６のレセプタクルハウジング９７の内壁面９７Ｃによってガイドされるため、精度よくヘッド２２をフェルール収容部９７Ｂ内部のフェルール挿入穴に挿入することができる。
【００７９】
作業者が清掃工具１０を第２光レセプタクル９６側へさらに移動させると、図９Ａの上部に示すように、内側ガイド部５０の内側ガイド外周部５５が、第２光レセプタクル９６のレセプタクルハウジング９７の内壁面９７Ａに嵌合する。この際、内側ガイド外周部５５はヘッド２２がフェルール収容部９７Ｂ内部のフェルール挿入穴に挿入する際のガイド面となる。これにより、清掃工具１０の延出部２０の前側端部が、第２光レセプタクル９６に対して上下方向及び左右方向（前後方向に垂直な方向）に位置合わせされる。したがって、作業者は、フェルール端面７１Ａに清掃体１を精度良く対向させることができる。但し、フェルール端面７１Ａに清掃体１を対向させる際のガイドとなるようなものであれば、内側ガイド部５０の端部が、第２光レセプタクル９６のレセプタクルハウジング９７の内壁面９７Ａに嵌合しなくてもよい。
【００８０】
また、図９Ａの下部に示すように、ヘッド２２がフェルール収容部９７Ｂ内部のフェルール挿入穴に挿入される。そして、フェルール収容部９７Ｂ内部のフェルール挿入穴に挿入されたヘッド２２がフェルール端面７１Ａに当接する。前述したように、ヘッド２２の押圧面２２Ａには、清掃体１が掛け回されている。したがって、これにより、フェルール端面７１Ａに清掃体１が押し当てられることになる。本実施形態では、内側ガイド部５０の内側ガイド外周部５５が第２光レセプタクル９６のレセプタクルハウジング９７の内壁面９７Ａによってガイドされるため、精度よくフェルール端面７１Ａに清掃体１を押し当てることができる。なお、前述したように、本実施形態の清掃工具１０では、ヘッド用スプリング２５を有することにより、ヘッド２２の押圧面２２Ａにおいて所定の押圧力で清掃体１をフェルール端面７１Ａに押し付けることができる。
【００８１】
なお、本実施形態のガイドユニット３０では、外側スプリング６５が外側ガイド部６０を前側に押圧している。このため、第２光レセプタクル９６の清掃をしないときは、外側ガイド部６０は内側ガイド部５０に対して前側に移動し、再び前述の第１光レセプタクル９１の清掃をすることができる。このため、清掃対象を第１光レセプタクル９１内のフェルール端面７１Ａとするか、あるいは第２光レセプタクル９６内のフェルール端面７１Ａとするかによって別体のアタッチメントなどをその都度付け外す必要がない。したがって、アタッチメントの付け外し作業の分の手間がかかることで、清掃作業全体の作業効率が低下することを抑制し、異なるタイプの光アダプタ（光コネクタレセプタクル）のフェルール端面を容易に清掃することができる。
【００８２】
また、例えば、複数のタイプの光レセプタクルにおけるコネクタ収容穴の形状に適合するように、一つの挿入部（例えば内側ガイド部５０）に対して複数のガイドを形成した場合には、ガイドに寄与しない隙間が空くことでフェルール端面７１Ａに清掃体１を対向させる精度が低下することがあった。また、コネクタ収容穴の径が大きい光レセプタクル（例えば、本実施形態の第２光レセプタクルに対する第１光レセプタクル）に挿入する場合には、隙間が大きくなり、フェルール端面７１Ａに清掃体１を対向させる精度の低下が特に問題となっていた。しかし、本実施形態では、第１光レセプタクル清掃時には、外側ガイド外周部６３がガイド面となり、第２光レセプタクル清掃時には、内側ガイド外周部５５がガイド面となることで、フェルール端面７１Ａに清掃体１を対向させる精度の低下を抑制することができる。
【００８３】
作業者が清掃工具１０を第２光レセプタクル９６側へさらに移動させると、図９Ｂに示すように、外側ガイド部６０の当接部６４が、外側バネ受け部６６の前側端部に当接する。前述したように、外側バネ受け部６６は内側ガイド部５０に固定されているので、図９Ｂに示す時点が、外側ガイド部６０が内側ガイド部５０に対して後退する限界位置となり、これ以上外側ガイド部６０が内側ガイド部５０に対して後退することができない。そうすると、外側ガイド部６０の外側ガイド端面６２が、レセプタクルハウジング９７のハウジング端面９７Ｃから後側に押圧されることにより、内側ガイド部５０は、外側バネ受け部６６を介して移動体１７とともに本体ハウジング１５に対して後退する。これにより、本体ハウジング１５の内部において移動体１７が本体ハウジング１５に対して前後方向に相対的に移動し、この相対移動により清掃体１を回収するとともに、回収量に相当する未使用の清掃体１が供給されることになる。つまり、清掃工具１０の延出部２０を清掃対象（ここでは第２光レセプタクル９６のフェルール端面７１Ａ）に対して押し込むという容易な操作で清掃体１を供給・回収することができる。なお、この図９Ｂに示す時点では、内側ガイド部５０の内側ガイド端面５３は、第２光レセプタクル９６のレセプタクルハウジング９７内部の内壁面９７Ａの奥には突き当たっていない。このため、本実施形態の清掃工具１０では、内側ガイド部５０の内側ガイド端面５３が、内壁面９７Ａの奥から後側に押圧されることにより、内側ガイド部５０は、本体ハウジング１５に対して後退することはない。
【００８４】
＜光アダプタの清掃手順＞
図１０Ａ〜図１０Ｃは、光アダプタ８０清掃時の第１実施形態の清掃工具１０の様子（ラッチ爪８３への内側ガイド端面５３突き当て前）を示す断面図である。図１１Ａ〜図１１Ｂは、光アダプタ８０清掃時の第１実施形態の清掃工具１０の様子（ラッチ爪８３への内側ガイド端面５３突き当て後）を示す断面図である。なお、図１０Ａ〜図１０Ｃ及び図１１Ａ〜図１１Ｂでも、外側ガイド部６０、外側スプリング６５及び外側バネ受け部６６の図示を省略している。また、図１１Ａ〜図１１Ｂでは、それぞれ図の上部に左右方向に垂直な面で切った断面図を、図の下部に上下方向に垂直な面で切った断面図を示している。
【００８５】
図１０Ａは、本実施形態において、光アダプタ８０の清掃前の清掃工具１０と光アダプタ８０との様子を示す図である。本実施形態では、光アダプタ８０は、アダプタハウジング８１に光プラグ７０が挿入されることで、スリーブホルダ端部８２内部のフェルール挿入穴にフェルール７１が挿入されている。清掃作業の作業者は、清掃工具１０のヘッド２２の押圧面２２Ａ（プラグ側ガイド部４０のプラグ側ガイド端面４２）を、光アダプタ８０のフェルール７１のフェルール端面７１Ａに対向させるようにして、清掃工具１０を光アダプタ８０側へ移動させる。この際、作業者は、図１０Ｂに示すように、スリーブホルダ端部８２の後側端面にプラグ側ガイド端面４２が突き当たるように清掃工具１０を光プラグ７０側へ移動させることになる。
【００８６】
スリーブホルダ端部８２の後側端面にプラグ側ガイド端面４２が突き当たった状態で作業者が清掃工具１０を光アダプタ８０側へさらに移動させると、プラグ側ガイド部４０のプラグ側ガイド端面４２が、スリーブホルダ端部８２の後側端面から後側に押圧されることにより、プラグ側ガイド部４０は、ヘッド２２及び内側ガイド部５０に対して後退する。プラグ側ガイド部４０がヘッド２２に対して後退したとき、ヘッド２２の端面である押圧面２２Ａがプラグ側ガイド端面４２よりも前側に露出することになる。これにより、スリーブホルダ端部８２の後側端面にプラグ側ガイド端面４２が突き当たった状態で、ヘッド２２をスリーブホルダ端部８２内部のフェルール挿入穴に挿入することができる。
【００８７】
なお、本実施形態のガイドユニット３０では、プラグ側スプリング４５がプラグ側ガイド部４０を前側に押圧している。このため、光アダプタ８０の清掃をしないときは、プラグ側ガイド部４０はヘッド２２及び内側ガイド部５０に対して前側に移動し、再び前述の光プラグ７０の清掃をすることができる。このため、清掃対象を光アダプタ８０内のフェルール端面７１Ａとするか、あるいは光プラグ７０側のフェルール端面７１Ａとするかによって別体のアタッチメント等をその都度付け外す必要がない。したがって、アタッチメントの付け外し作業の分の手間がかかることで、清掃作業全体の作業効率が低下することを抑制し、光アダプタ内及び光プラグ側の両方のフェルール端面を容易に清掃することができる。
【００８８】
図１０Ｃに示すように、内側ガイド部５０の上下一対の平坦面５２により、内側ガイド部５０の端部は、光アダプタ８０のアダプタハウジング８１の内壁面８１Ｂに嵌合する。この際、平坦面５２はヘッド２２がスリーブホルダ端部８２内部のフェルール挿入穴に挿入する際のガイド面となる。また、平坦面５２はフェルール端面７１Ａに清掃体１を対向させる際のガイド面でもある。これにより、清掃工具１０の延出部２０の前側端部が、光アダプタ８０に対して上下方向及び左右方向（前後方向に垂直な方向）に位置合わせされる。これにより、フェルール端面７１Ａに清掃体１を精度良く対向させることができる。但し、フェルール端面７１Ａに清掃体１を対向させる際のガイドとなるようなものであれば、内側ガイド部５０の端部が、光アダプタ８０のアダプタハウジング８１の内壁面８１Ｂに嵌合しなくてもよい。
【００８９】
また、作業者が清掃工具１０を光アダプタ８０側へさらに移動させると、図１０Ａに示すように、ヘッド２２がスリーブホルダ端部８２内部のフェルール挿入穴に挿入される。本実施形態では、内側ガイド部５０の平坦面５２が光アダプタ８０のアダプタハウジング８１の内壁面８１Ｂによってガイドされるため、精度よくヘッド２２をスリーブホルダ端部８２内部のフェルール挿入穴に挿入することができる。また、内側ガイド端面５３がラッチ爪８３の後側端面に当接する。この状態から清掃工具１０を光アダプタ８０側へさらに移動させると、内側ガイド部５０の内側ガイド端面５３が、ラッチ爪８３から後側に押圧されることにより、内側ガイド部５０は、移動体１７とともに本体ハウジング１５に対して後退する。これにより、本体ハウジング１５の内部において移動体１７が本体ハウジング１５に対して前後方向に相対的に移動し、この相対移動により清掃体１を回収するとともに、回収量に相当する未使用の清掃体１が供給されることになる。つまり、清掃工具１０の延出部２０を清掃対象（ここでは光アダプタ８０のフェルール端面７１Ａ）に対して押し込むという容易な操作で清掃体１を供給・回収することができる。
【００９０】
また、作業者が清掃工具１０を光アダプタ８０側へさらに移動させると、図１０Ｂに示すように、スリーブホルダ端部８２内部のフェルール挿入穴に挿入されたヘッド２２がフェルール端面７１Ａに当接する。前述したように、ヘッド２２の押圧面２２Ａには、清掃体１が掛け回されている。したがって、これにより、フェルール端面７１Ａに清掃体１が押し当てられることになる。本実施形態では、内側ガイド部５０の平坦面５２が光アダプタ８０のアダプタハウジング８１の内壁面８１Ｂによってガイドされるため、精度よく清掃体１をフェルール端面７１Ａに押し当てることができる。なお、前述したように、本実施形態の清掃工具１０では、ヘッド用スプリング２５を有することにより、ヘッド２２の押圧面２２Ａにおいて所定の押圧力で清掃体１をフェルール端面７１Ａに押し付けることができる。
【００９１】
＜内側ガイド部５０の平坦面５２＞
図１２Ａは、第２光レセプタクル９６に第１実施形態の清掃工具１０の内側ガイド部５０の端部を差し込んだ様子を示す斜視図である。図１２Ｂは、光アダプタ８０に第１実施形態の清掃工具１０の内側ガイド部５０の端部を差し込んだ様子を示す斜視図である。なお、図１２Ａ〜図１２Ｂでは、説明を簡単にするために、清掃工具１０の内側ガイド部５０以外の構成の図示を省略している。
【００９２】
図１２Ａに示すように、内側ガイド部５０の内側ガイド外周部５５が、第２光レセプタクル９６のレセプタクルハウジング９７の内壁面９７Ａに嵌合している。この際、内側ガイド外周部５５はフェルール端面７１Ａに清掃体１を対向させる際のガイド面となる。また、図１２Ｂに示すように、内側ガイド部５０の上下一対の平坦面５２により、内側ガイド部５０の端部は、光アダプタ８０のアダプタハウジング８１の内壁面８１Ｂに嵌合している。この際、平坦面５２はフェルール端面７１Ａに清掃体１を対向させる際のガイド面となる。
【００９３】
本実施形態の清掃工具１０では、内側ガイド部５０の前側端部に上下方向に一対の平坦面５２が形成されている。平坦面５２は、内側ガイド部５０の内側ガイド外周部５５の上下側の一部分に形成されている。したがって、図１２Ａ〜図１２Ｂに示すように、清掃対象（第２光レセプタクル９６又は光アダプタ８０）に清掃工具１０の内側ガイド部５０の端部を差し込むだけで、内側ガイド外周部５５と平坦面５２とのいずれもがフェルール端面７１Ａに清掃体１を対向させる際のガイド面となる。これにより、多種類の光コネクタのフェルール端面を容易に清掃することができる。
【００９４】
＝＝＝第２実施形態＝＝＝
図１３は、第２実施形態の清掃工具１０における延出部２０の断面図である。前述の第１実施形態と同様に、本実施形態の清掃工具１０においても、延出部２０は、ヘッド部２１と、ヘッド用スプリング２５と、ガイドユニット３０とを備えている。また、前述の第１実施形態と同様に、本実施形態の清掃工具１０においても、ガイドユニット３０は、プラグ側ガイド部４０と、プラグ側スプリング４５と、内側ガイド部５０と、外側ガイド部６０と、外側スプリング６５と、外側バネ受け部６６とを有する。
【００９５】
本実施形態の清掃工具１０では、延出部２０の形状が異なっていてもよい。本実施形態の清掃工具１０では、内側ガイド部５０には、鍔部５６が設けられている（図１３参照）。鍔部５６は、後述する第２光レセプタクル９６のレセプタクルハウジング９７の内側（内壁面９７Ａ）に嵌合することで（図１５Ａ参照）、清掃工具１０の延出部２０の先端をガイドする部位である。また、鍔部５６は、後述する光アダプタ８０のアダプタハウジング８１に当接し、アダプタハウジング８１から押圧されることで（図１７Ｂ参照）、工具本体１１と延出部２０との相対移動をさせる部位でもある。鍔部５６は、内側ガイド部５０の他の部位よりも突出した円筒状の部位である。鍔部５６から前側の外側ガイド部６０の内周は、鍔部５６が挿通可能な大きさとなっている。これにより、内側ガイド部５０は外側ガイド部６０に対して前側に移動可能となっている。一方、鍔部５６よりも後側の外側ガイド部６０の内周は、鍔部５６の外周よりも小さくなっている。このため、鍔部５６の後側の端面（後述する鍔部端面５６Ａと対向する後側の端面）が外側ガイド部６０の内壁と当接することで、内側ガイド部５０の外側ガイド部６０に対する後抜けが抑制されている。
【００９６】
鍔部５６は、鍔部端面５６Ａと、鍔部外周面５６Ｂとを有する。鍔部端面５６Ａは、後述する光アダプタ８０のアダプタハウジング８１に当接し、アダプタハウジング８１から押圧されることで（図１７Ｂ参照）、工具本体１１と延出部２０との相対移動をさせる部位である。鍔部外周面５６Ｂは、後述する第２光レセプタクル９６のレセプタクルハウジング９７の内側（内壁面９７Ａ）に嵌合することで（図１５Ａ参照）、清掃工具１０の延出部２０の先端をガイドする部位である。
【００９７】
また、本実施形態の清掃工具１０では、内側ガイド部５０には、中間筒部５７が設けられている。中間筒部５７は、後述する光アダプタ８０のアダプタハウジング８１の内側（内壁面８１Ｂ）に嵌合することで（図１６Ｃ参照）、清掃工具１０の延出部２０の先端をガイドする部位である。中間筒部５７は、鍔部５６と、後述する先端筒部５８との間に設けられた円筒状の部位である。
【００９８】
中間筒部５７と先端筒部５８との間には、中間端面５７Ａと、中間テーパ面５７Ｂとが設けられている。中間端面５７Ａと中間テーパ面５７Ｂとは、後述する光アダプタ８０のラッチ爪８３に当接し、ラッチ爪８３から押圧されることで（図１７Ｂ参照）、工具本体１１と延出部２０との相対移動をさせる部位である。但し、中間テーパ面５７Ｂは設けられなくてもよい。
【００９９】
さらに、本実施形態の清掃工具１０では、内側ガイド部５０には、先端筒部５８が設けられている。先端筒部５８は、光コネクタの一部（例えば、光プラグ７０のコネクタハウジング７２）に当接し、当該光コネクタの一部から押圧されることで、工具本体１１と延出部２０との相対移動をさせる部材でもある。先端筒部５８の前側の端面は、内側ガイド端面５３となっている。また、先端筒部５８の先端内周面５８Ａは、光アダプタ８０のスリーブホルダ端部８２が嵌合可能に設けられている。また、先端筒部５８の先端内周面５８Ａは、第１光レセプタクル９１（又は第２光レセプタクル９６）のフェルール収容部９２Ｂ（又はフェルール収容部９７Ｂ）が嵌合可能に設けられている。これにより、先端筒部５８の先端内周面５８Ａは、清掃工具１０の延出部２０の先端をガイドすることができる。
【０１００】
＜第２光レセプタクルの清掃手順＞
図１４Ａ〜図１４Ｃは、第２光レセプタクル９６清掃時の第２実施形態の清掃工具１０の様子（フェルール端面７１Ａへの清掃体１押し当て前）を示す断面図である。図１５Ａ〜図１５Ｂは、第２光レセプタクル９６清掃時の第２実施形態の清掃工具１０の様子（フェルール端面７１Ａへの清掃体１押し当て後）を示す断面図である。なお、図１５Ａの上部には、図１５Ａ中の矢印方向の断面図を示している。
【０１０１】
図１４Ａは、本実施形態において、第２光レセプタクル９６の清掃前の清掃工具１０と第２光レセプタクル９６との様子を示す図である。本実施形態の第２光レセプタクル９６は、前述の第１実施形態の第２レセプタクルと同様のものであってよい。すなわち、本実施形態の第２光レセプタクル９６のレセプタクルハウジング９７の内面の形状は、前述の第１実施形態の第１光レセプタクル９１のレセプタクルハウジング９２と異なる。また、第２光レセプタクル９６のレセプタクルハウジング９７の内面の径（図１４ＡのＸ部分参照）は、第１光レセプタクル９１のレセプタクルハウジング９２の内面の径（図６ＡのＹ部分参照）より小さい（Ｘ＜Ｙ）。
【０１０２】
清掃作業の作業者は、清掃工具１０のヘッド２２の押圧面２２Ａ（プラグ側ガイド部４０のプラグ側ガイド端面４２）を、第２光レセプタクル９６のフェルール７１のフェルール端面７１Ａに対向させるようにして、清掃工具１０を第２光レセプタクル９６側へ移動させる。この際、作業者は、図１４Ｂに示すように、フェルール収容部９７Ｂの後側端面にプラグ側ガイド端面４２が突き当たるように清掃工具１０を第２光レセプタクル９６側へ移動させることになる。
【０１０３】
フェルール収容部９７Ｂの後側端面にプラグ側ガイド端面４２が突き当たった状態（図１４Ｂ参照）で作業者が清掃工具１０を第２光レセプタクル９６側へさらに移動させると、図１４Ｃに示すように、外側ガイド部６０の外側ガイド端面６２がレセプタクルハウジング９７のハウジング端面９７Ｃに当接する。前述したように、第２光レセプタクル９６のレセプタクルハウジング９７の内面の径（図１４ＡのＸ部分参照）は、第１光レセプタクル９１のレセプタクルハウジング９２の内面の径（図６ＡのＹ部分参照）より小さくなっている（Ｘ＜Ｙ）。このため、外側ガイド部６０は、第２光レセプタクル９６のレセプタクルハウジング９７に嵌合することなく、外側ガイド部６０の外側ガイド端面６２がレセプタクルハウジング９７のハウジング端面９７Ｃに当接することになる。
【０１０４】
外側ガイド部６０の外側ガイド端面６２がレセプタクルハウジング９７のハウジング端面９７Ｃに当接した状態から清掃工具１０を第２光レセプタクル９６側へさらに移動させると、外側ガイド部６０の外側ガイド端面６２が、ハウジング端面９７Ｃから後側に押圧されることにより、外側ガイド部６０が内側ガイド部５０に対して後退する。これにより、後述するように、前側に露出した内側ガイド部５０の鍔部外周面５６Ｂ（鍔部５６）が、第２光レセプタクル９６のレセプタクルハウジング９７の内壁面９７Ａに嵌合することができる。
【０１０５】
また、フェルール収容部９７Ｂの後側端面にプラグ側ガイド端面４２が突き当たった状態（図１４Ｂ参照）で作業者が清掃工具１０を第２光レセプタクル９６側へさらに移動させると、プラグ側ガイド部４０のプラグ側ガイド端面４２が、フェルール収容部９７Ｂの後側端面から後側に押圧されることにより、プラグ側ガイド部４０は、ヘッド２２及び内側ガイド部５０に対して後退する。プラグ側ガイド部４０がヘッド２２に対して後退したとき、ヘッド２２の端面である押圧面２２Ａがプラグ側ガイド端面４２よりも前側に露出することになる（図１５Ａ参照）。これにより、フェルール収容部９７Ｂの後側端面にプラグ側ガイド端面４２が突き当たった状態で、ヘッド２２をスリーブホルダ端部８２内部のフェルール挿入穴に挿入することができる（図１５Ａ参照）。本実施形態では、内側ガイド部５０の鍔部外周面５６Ｂが第２光レセプタクル９６のレセプタクルハウジング９７の内壁面９７Ａによってガイドされるため、精度よくヘッド２２をフェルール収容部９７Ｂ内部のフェルール挿入穴に挿入することができる。
【０１０６】
作業者が清掃工具１０を第２光レセプタクル９６側へさらに移動させると、図１５Ａの上部に示すように、内側ガイド部５０の鍔部外周面５６Ｂ（鍔部５６）が、第２光レセプタクル９６のレセプタクルハウジング９７の内壁面９７Ａに嵌合する。この際、鍔部外周面５６Ｂはヘッド２２がフェルール収容部９７Ｂ内部のフェルール挿入穴に挿入する際のガイド面となる。これにより、清掃工具１０の延出部２０の前側端部が、第２光レセプタクル９６に対して上下方向及び左右方向（前後方向に垂直な方向）に位置合わせされる。したがって、作業者は、フェルール端面７１Ａに清掃体１を精度良く対向させることができる。但し、フェルール端面７１Ａに清掃体１を対向させる際のガイドとなるようなものであれば、内側ガイド部５０の鍔部５６が、第２光レセプタクル９６のレセプタクルハウジング９７の内壁面９７Ａに嵌合しなくてもよい。
【０１０７】
また、図９Ａの下部に示すように、ヘッド２２がフェルール収容部９７Ｂ内部のフェルール挿入穴に挿入される。そして、フェルール収容部９７Ｂ内部のフェルール挿入穴に挿入されたヘッド２２がフェルール端面７１Ａに当接する。前述したように、ヘッド２２の押圧面２２Ａには、清掃体１が掛け回されている。したがって、これにより、フェルール端面７１Ａに清掃体１が押し当てられることになる。本実施形態では、内側ガイド部５０の鍔部外周面５６Ｂ（鍔部５６）が第２光レセプタクル９６のレセプタクルハウジング９７の内壁面９７Ａによってガイドされるため、精度よくフェルール端面７１Ａに清掃体１を押し当てることができる。なお、前述したように、本実施形態の清掃工具１０では、ヘッド用スプリング２５を有することにより、ヘッド２２の押圧面２２Ａにおいて所定の押圧力で清掃体１をフェルール端面７１Ａに押し付けることができる。
【０１０８】
なお、本実施形態のガイドユニット３０では、外側スプリング６５が外側ガイド部６０を前側に押圧している。このため、第２光レセプタクル９６の清掃をしないときは、外側ガイド部６０は内側ガイド部５０に対して前側に移動し、再び前述の第１光レセプタクル９１の清掃をすることができる。このため、清掃対象を第１光レセプタクル９１内のフェルール端面７１Ａとするか、あるいは第２光レセプタクル９６内のフェルール端面７１Ａとするかによって別体のアタッチメントなどをその都度付け外す必要がない。したがって、アタッチメントの付け外し作業の分の手間がかかることで、清掃作業全体の作業効率が低下することを抑制し、異なるタイプの光アダプタ（光コネクタレセプタクル）のフェルール端面を容易に清掃することができる。
【０１０９】
また、例えば、複数のタイプの光レセプタクルにおけるコネクタ収容穴の形状に適合するように、一つの挿入部（例えば内側ガイド部５０）に対して複数のガイドを形成した場合には、ガイドに寄与しない隙間が空くことでフェルール端面７１Ａに清掃体１を対向させる精度が低下することがあった。また、コネクタ収容穴の径が大きい光レセプタクル（例えば、本実施形態の第２光レセプタクルに対する第１光レセプタクル）に挿入する場合には、隙間が大きくなり、フェルール端面７１Ａに清掃体１を対向させる精度の低下が特に問題となっていた。しかし、本実施形態では、第１光レセプタクル清掃時には、外側ガイド外周部６３がガイド面となり、第２光レセプタクル清掃時には、鍔部外周面５６Ｂがガイド面となることで、フェルール端面７１Ａに清掃体１を対向させる精度の低下を抑制することができる。
【０１１０】
作業者が清掃工具１０を第２光レセプタクル９６側へさらに移動させると、図１５Ｂに示すように、プラグ側ガイド部４０のプラグ側ガイド端面４２が第２光レセプタクル９６のフェルール収容部９７Ｂから後側に押圧されることにより、プラグ側ガイド部４０が内側ガイド部５０に対して後側に移動する。そうすると、プラグ側ガイド部４０のバネ受け部４１が、移動体１７のバネ受け部１７Ａに当接する（プラグ側ガイド部４０のバネ受け部４１及び移動体１７のバネ受け部１７Ａについては、図１３参照）。前述したように、内側ガイド部５０は移動体１７に固定されているので、プラグ側ガイド部４０のバネ受け部４１が移動体１７のバネ受け部１７Ａに当接した時点が、プラグ側ガイド部４０が内側ガイド部５０に対して後退する限界位置となり、これ以上プラグ側ガイド部４０が内側ガイド部５０に対して後退することができない。そうすると、プラグ側ガイド部４０のプラグ側ガイド端面４２が、第２光レセプタクル９６のフェルール収容部９７Ｂから後側に押圧されることにより、プラグ側ガイド部４０は、移動体１７とともに本体ハウジング１５に対して後退する。これにより、本体ハウジング１５の内部において移動体１７が本体ハウジング１５に対して前後方向に相対的に移動し、この相対移動により清掃体１を回収するとともに、回収量に相当する未使用の清掃体１が供給されることになる。つまり、清掃工具１０の延出部２０を清掃対象（ここでは第２光レセプタクル９６のフェルール端面７１Ａ）に対して押し込むという容易な操作で清掃体１を供給・回収することができる。
【０１１１】
なお、この図１５Ｂに示す時点では、内側ガイド部５０の内側ガイド端面５３は、第２光レセプタクル９６のレセプタクルハウジング９７内部の内壁面９７Ａの奥には突き当たっていない。しかし、本実施形態の清掃工具１０では、内側ガイド部５０の内側ガイド端面５３が第２光レセプタクル９６のレセプタクルハウジング９７内部の内壁面９７Ａの奥に突き当たり、内壁面９７Ａの奥から後側に押圧されることにより、内側ガイド部５０が本体ハウジング１５に対して後退してもよい。つまり、内側ガイド部５０の内側ガイド端面５３が、内壁面９７Ａの奥から後側に押圧されることにより、本体ハウジング１５の内部において移動体１７が本体ハウジング１５に対して前後方向に相対的に移動し、この相対移動により清掃体１を回収するとともに、回収量に相当する未使用の清掃体１が供給されてもよい。
【０１１２】
＜光アダプタの清掃手順＞
図１６Ａ〜図１６Ｃは、光アダプタ８０清掃時の第２実施形態の清掃工具１０の様子（フェルール端面７１Ａへの清掃体１押し当て前）を示す断面図である。図１７Ａ〜図１７Ｂは、光アダプタ８０清掃時の第２実施形態の清掃工具１０の様子（フェルール端面７１Ａへの清掃体１押し当て後）を示す断面図である。なお、図１７Ａ〜図１７Ｂでは、それぞれ図の上部に左右方向に垂直な面で切った断面図を、図の下部に上下方向に垂直な面で切った断面図を示している。
【０１１３】
図１６Ａは、本実施形態において、光アダプタ８０の清掃前の清掃工具１０と光アダプタ８０との様子を示す図である。本実施形態では、光アダプタ８０は、アダプタハウジング８１に光プラグ７０が挿入されることで、スリーブホルダ端部８２内部のフェルール挿入穴にフェルール７１が挿入されている。清掃作業の作業者は、清掃工具１０のヘッド２２の押圧面２２Ａ（プラグ側ガイド部４０のプラグ側ガイド端面４２）を、光アダプタ８０のフェルール７１のフェルール端面７１Ａに対向させるようにして、清掃工具１０を光アダプタ８０側へ移動させる。この際、作業者は、図１６Ｂに示すように、スリーブホルダ端部８２の後側端面にプラグ側ガイド端面４２が突き当たるように清掃工具１０を光プラグ７０側へ移動させることになる。
【０１１４】
スリーブホルダ端部８２の後側端面にプラグ側ガイド端面４２が突き当たった状態で作業者が清掃工具１０を光アダプタ８０側へさらに移動させると、プラグ側ガイド部４０のプラグ側ガイド端面４２が、スリーブホルダ端部８２の後側端面から後側に押圧されることにより、プラグ側ガイド部４０は、ヘッド２２及び内側ガイド部５０に対して後退する。プラグ側ガイド部４０がヘッド２２に対して後退したとき、ヘッド２２の端面である押圧面２２Ａがプラグ側ガイド端面４２よりも前側に露出することになる。これにより、スリーブホルダ端部８２の後側端面にプラグ側ガイド端面４２が突き当たった状態で、ヘッド２２をスリーブホルダ端部８２内部のフェルール挿入穴に挿入することができる。
【０１１５】
なお、本実施形態のガイドユニット３０では、プラグ側スプリング４５がプラグ側ガイド部４０を前側に押圧している。このため、光アダプタ８０の清掃をしないときは、プラグ側ガイド部４０はヘッド２２及び内側ガイド部５０に対して前側に移動し、再び前述の光プラグ７０の清掃をすることができる。このため、清掃対象を光アダプタ８０内のフェルール端面７１Ａとするか、あるいは光プラグ７０側のフェルール端面７１Ａとするかによって別体のアタッチメント等をその都度付け外す必要がない。したがって、アタッチメントの付け外し作業の分の手間がかかることで、清掃作業全体の作業効率が低下することを抑制し、光アダプタ内及び光プラグ側の両方のフェルール端面を容易に清掃することができる。
【０１１６】
図１６Ｃに示すように、内側ガイド部５０の中間筒部５７により、内側ガイド部５０は、光アダプタ８０のアダプタハウジング８１の内壁面８１Ｂに嵌合する。この際、中間筒部５７はヘッド２２がスリーブホルダ端部８２内部のフェルール挿入穴に挿入する際のガイド面となる。また、中間筒部５７はフェルール端面７１Ａに清掃体１を対向させる際のガイド面でもある。これにより、清掃工具１０の延出部２０の前側端部が、光アダプタ８０に対して上下方向及び左右方向（前後方向に垂直な方向）に位置合わせされる。これにより、フェルール端面７１Ａに清掃体１を精度良く対向させることができる。但し、フェルール端面７１Ａに清掃体１を対向させる際のガイドとなるようなものであれば、内側ガイド部５０の端部が、光アダプタ８０のアダプタハウジング８１の内壁面８１Ｂに嵌合しなくてもよい。
【０１１７】
前述の第１実施形態では、図１０Ｃに示すように、内側ガイド部５０の上下一対の平坦面５２が光アダプタ８０のアダプタハウジング８１の内壁面８１Ｂに嵌合することで、平坦面５２がヘッド２２をスリーブホルダ端部８２内部のフェルール挿入穴に挿入させる際のガイド面となる。また、平坦面５２はフェルール端面７１Ａに清掃体１を対向させる際のガイド面でもある。このため、上下方向（一対の平坦面５２が設けられている方向）をアダプタハウジング８１の内壁面８１Ｂの上下方向に合わせるようにして、清掃工具１０の延出部２０を光アダプタ８０に挿入する必要がある。しかし、本実施形態（第２実施形態）では、内側ガイド部５０の全周に設けられた中間筒部５７により、内側ガイド部５０は、光アダプタ８０のアダプタハウジング８１の内壁面８１Ｂに嵌合する。このため、作業者は、清掃工具１０の上下方向を意識することなく延出部２０を光アダプタ８０に挿入することができる。
【０１１８】
また、作業者が清掃工具１０を光アダプタ８０側へさらに移動させると、図１７Ａに示すように、ヘッド２２がスリーブホルダ端部８２内部のフェルール挿入穴に挿入される。本実施形態では、内側ガイド部５０の中間筒部５７が光アダプタ８０のアダプタハウジング８１の内壁面８１Ｂによってガイドされるため、精度よくヘッド２２をスリーブホルダ端部８２内部のフェルール挿入穴に挿入することができる。そして、スリーブホルダ端部８２内部のフェルール挿入穴に挿入されたヘッド２２がフェルール端面７１Ａに当接する。前述したように、ヘッド２２の押圧面２２Ａには、清掃体１が掛け回されている。したがって、これにより、フェルール端面７１Ａに清掃体１が押し当てられることになる。本実施形態では、内側ガイド部５０の中間筒部５７が光アダプタ８０のアダプタハウジング８１の内壁面８１Ｂによってガイドされるため、精度よく清掃体１をフェルール端面７１Ａに押し当てることができる。なお、前述したように、本実施形態の清掃工具１０では、ヘッド用スプリング２５を有することにより、ヘッド２２の押圧面２２Ａにおいて所定の押圧力で清掃体１をフェルール端面７１Ａに押し付けることができる。
【０１１９】
また、作業者が清掃工具１０を光アダプタ８０側へさらに移動させると、図１７Ｂに示すように、内側ガイド部５０の中間端面５７Ａがラッチ爪８３の後側端面に当接する。この状態から清掃工具１０を光アダプタ８０側へさらに移動させると、内側ガイド部５０の中間端面５７Ａが、ラッチ爪８３から後側に押圧されることにより、内側ガイド部５０は、移動体１７とともに本体ハウジング１５に対して後退する。これにより、本体ハウジング１５の内部において移動体１７が本体ハウジング１５に対して前後方向に相対的に移動し、この相対移動により清掃体１を回収するとともに、回収量に相当する未使用の清掃体１が供給されることになる。つまり、清掃工具１０の延出部２０を清掃対象（ここでは光アダプタ８０のフェルール端面７１Ａ）に対して押し込むという容易な操作で清掃体１を供給・回収することができる。
【０１２０】
なお、この図１７Ｂに示す時点では、内側ガイド部５０の内側ガイド端面５３は、光アダプタ８０のアダプタハウジング８１内部の内壁面の奥には突き当たっていない。しかし、本実施形態の清掃工具１０では、内側ガイド端面５３がアダプタハウジング８１の内壁面に当接し、内壁面９７Ａの奥から後側に押圧されることにより、内側ガイド部５０が本体ハウジング１５に対して後退してもよい。これにより、本体ハウジング１５の内部において移動体１７が本体ハウジング１５に対して前後方向に相対的に移動し、この相対移動により清掃体１を回収するとともに、回収量に相当する未使用の清掃体１が供給されることになる。つまり、清掃工具１０の延出部２０を清掃対象（ここでは光アダプタ８０のフェルール端面７１Ａ）に対して押し込むという容易な操作で清掃体１を供給・回収することができる。
【０１２１】
＜その他の清掃対象＞
本実施形態の清掃工具１０では、前述の通り、第２光レセプタクル９６及び光アダプタ８０について清掃手順を説明した。その他の清掃対象、例えば光プラグ７０の清掃手順（図４及び図５参照）、第１光レセプタクル９１の清掃手順（図６及び図７参照）については、第１実施形態と同様であってよい。
【０１２２】
＝＝＝小括＝＝＝
上記実施形態の清掃工具１０は、工具本体１１と、ヘッド２２を備えた延出部２０とを有しており、延出部２０は、ヘッド２２が挿通する内側ガイド部５０と、内側ガイド部が挿通する外側ガイド部６０とを備えている。そして、上記実施形態では、第１光レセプタクル９１（第１光コネクタに相当）の清掃時に、図６Ｂに示すように、外側ガイド部６０の外側ガイド外周部６３が第１光レセプタクル９１のフェルール端面７１Ａに対してヘッド２２をガイドする。また、第１光レセプタクル９１とはハウジングの形状が異なる第２光レセプタクル９６（第２光コネクタに相当）の清掃時には、図９Ａ（又は図１５Ａ）に示すように、外側ガイド部６０が後退して、内側ガイド部５０が前側（第２光コネクタ側）に露出することで、内側ガイド部５０の内側ガイド外周部５５（又は鍔部５６の鍔部外周面５６Ｂ）が第２光レセプタクル９５のフェルール端面７１Ａに対してヘッド２２をガイドする。これにより、上記実施形態では、形状の互いに異なる第１光レセプタクル９１及び第２光レセプタクル９６の清掃作業が容易になる。
【０１２３】
また、上記実施形態の清掃工具１０では、第１光レセプタクル９１（第１光コネクタに相当）及び第２光レセプタクル９６（第２光コネクタに相当）は、一方から光プラグを挿入して内部の光コネクタ（フェルール）と光接続させるための光レセプタクルであり、第１光レセプタクル９１と第２光レセプタクル９６とは、ハウジングの内面の形状が互いに異なる。つまり、第１光レセプタクル９１のレセプタクルハウジング９２と、第２光レセプタクル９６のレセプタクルハウジング９７とは、内面の形状が互いに異なる。これにより、上記実施形態では、コネクタ収容穴の径が互いに異なる第１光レセプタクル９１及び第２光レセプタクル９６の清掃作業が容易になる。
【０１２４】
また、上記実施形態の清掃工具１０では、第２光レセプタクル９６（第２光コネクタに相当）の清掃時に、図８Ｃ〜図９Ａ（又は図１４Ｃ〜図１５Ａ）に示すように、外側ガイド部６０の第２光レセプタクル９６側の外側ガイド端面６２を、第２光レセプタクル９６のレセプタクルハウジング９７のハウジング端面９７Ｃに押し当てることで、外側ガイド部６０を後退させる。これにより、上記実施形態では、第２光レセプタクル９６側に露出した内側ガイド部５０の内側ガイド外周部５５（又は鍔部５６の鍔部外周面５６Ｂ）が、第２光レセプタクル９６のレセプタクルハウジング９７の内壁面９７Ａにガイドされることができる。
【０１２５】
また、上記実施形態の清掃工具１０では、内側ガイド部５０の外周部に平坦面５２が形成されている。これにより、上記実施形態では、多種類の光コネクタのフェルール端面を容易に清掃することができる。
【０１２６】
また、上記実施形態の清掃工具１０では、延出部２０は、工具本体１１に対して所定方向（前後方向）に移動可能であり、工具本体１１と延出部２０との相対移動によって、ヘッド２２の押圧面２２Ａに清掃体１を供給するとともに、押圧面２２Ａにおける清掃体１を回収する送り機構１２をさらに備えることが望ましい。これにより、上記実施形態では、容易な操作で清掃体１を供給・回収することができる。
【０１２７】
また、上記実施形態の清掃工具１０では、第１光レセプタクル９１（第１光コネクタに相当）の清掃時に、図７Ｂに示すように、内側ガイド部５０の第１光レセプタクル９１側の内側ガイド端面５３を、第１光レセプタクル９１のレセプタクルハウジング９２に押し当てることで、工具本体１１と延出部２０との相対移動をさせることが望ましい。これにより、上記実施形態では、容易な操作で清掃体１を供給・回収することができる。
【０１２８】
また、上記実施形態の清掃工具１０では、第２光レセプタクル９６（第２光コネクタに相当）の清掃時に、図１５Ｂに示すように、プラグ側ガイド部４０の第２光レセプタクル９６側のプラグ側ガイド端面４２を、第２光レセプタクル９６のレセプタクルハウジング９７に押し当てることで、工具本体１１と延出部２０との相対移動をさせることが望ましい。これにより、上記実施形態では、容易な操作で清掃体１を供給・回収することができる。
【０１２９】
＝＝＝その他の実施形態＝＝＝
前述の実施形態では、清掃工具１０は、プラグ側ガイド部４０、プラグ側スプリング４５を有していたが、これらを有していなくてもよい。この場合、光プラグ７０は清掃対象ではなくなるが、このような構成の清掃工具１０であっても、外側ガイド部６０が後退して、内側ガイド部５０が前側に露出することで、内側ガイド部５０の内側ガイド外周部５５が第２光レセプタクル９５のフェルール端面７１Ａに対してヘッド２２をガイドする構成を備えていれば、形状の互いに異なる第１光レセプタクル９１及び第２光レセプタクル９６の清掃作業が容易になる。
【０１３０】
また、前述の実施形態では、第１光レセプタクル清掃時には、外側ガイド部６０がガイド部材となり、第２光レセプタクル清掃時には、内側ガイド部５０がガイド部材となっていた。しかし、外側ガイド部材のさらに外側に他のガイド部材を有することにより、第１光レセプタクル及び第２光レセプタクルとはさらに内面形状の異なる（第１光レセプタクル及び第２光レセプタクルとはハウジング内面の径がさらに大きい）光レセプタクルを清掃対象とすることができる。
【０１３１】
また、光レセプタクル９０のフェルール７１は、単心の光ファイバを保持するものであってもよいし、多心の光ファイバを保持するものであってもよい。
【０１３２】
前述の実施形態は、本発明の理解を容易にするためのものであり、本発明を限定して解釈するためのものではない。本発明は、その趣旨を逸脱することなく、変更・改良され得ると共に、本発明には、その等価物が含まれることは言うまでもない。
【符号の説明】
【０１３３】
１  清掃体、１０  清掃工具、１１  工具本体、１２  送り機構、
１３  供給リール、１４  巻取リール、１５  本体ハウジング、
１６Ａ・１６Ｂ  バネ受け部、１７  移動体、１７Ａ  バネ受け部、
１８  コイルスプリング、１９  回転体、
１９Ａ  回転筒部、１９Ｂ  ヘッド支持部、
１９Ｃ  挿入凸部、１９Ｄ  カム溝、
２０  延出部、２１  ヘッド部、２２  ヘッド、２２Ａ  押圧面、
２３  フランジ部、２４  基端部、２５  ヘッド用スプリング、
３０  ガイドユニット、４０  プラグ側ガイド部、４１  バネ受け部、
４２  プラグ側ガイド端面、４２Ａ  挿通孔、４３  プラグ側ガイド外周部、
４５  プラグ側スプリング、５０  内側ガイド部（アダプタ側ガイド部）、
５１  挿通孔、５２  平坦面、５３  内側ガイド端面、
５４  係合凹部、５５  内側ガイド外周部、
５６  鍔部、５６Ａ  鍔部端面、５６Ｂ  鍔部外周面、
５７  中間筒部、５７Ａ  中間端面、５７Ｂ  中間テーパ面、
５８  先端筒部、５８Ａ  先端内周面、
６０  外側ガイド部、６１  挿通孔、６２  外側ガイド端面、
６３  外側ガイド外周部、６４  当接部、６５  外側スプリング、
６６  外側バネ受け部、７０  光プラグ、７１  フェルール、
７１Ａ  フェルール端面、７２  コネクタハウジング、
７２Ａ  端面、７２Ｂ  内壁面、７２Ｃ  突き当て面、８０  光アダプタ、
８１  アダプタハウジング、８１Ｂ  内壁面、
８２  スリーブホルダ端部、８３  ラッチ爪、
９０  光レセプタクル、９１  第１光レセプタクル、
９２  レセプタクルハウジング、９２Ａ  内壁面、
９２Ｂ  フェルール収容部、９２Ｃ  当接部、
９６  第２光レセプタクル、９７  レセプタクルハウジング、
９７Ａ  内壁面、９７Ｂ  フェルール収容部、９７Ｃ  ハウジング端面
【図１】
2019045826.tif 000003
【図２】
2019045826.tif 000004
【図３】
2019045826.tif 000005
【図４】
2019045826.tif 000006
【図５】
2019045826.tif 000007
【図６】
2019045826.tif 000008
【図７】
2019045826.tif 000009
【図８】
2019045826.tif 000010
【図９】
2019045826.tif 000011
【図１０】
2019045826.tif 000012
【図１１】
2019045826.tif 000013
【図１２】
2019045826.tif 000014
【図１３】
2019045826.tif 000015
【図１４】
2019045826.tif 000016
【図１５】
2019045826.tif 000017
【図１６】
2019045826.tif 000018
【図１７】
2019045826.tif 000019